(57)【特許請求の範囲】
【請求項１】
接続する管同士の接続角度を調節可能に接続するための自在継手部と、接続する管同士を軸線方向に移動可能に接続するための伸縮継手部と、両端に前記自在継手部と伸縮継手部との連結部をそれぞれ有する接続用短管とを備えた管継手であって、前記接続用短管は、上方に開口する大径受口と、下方に開口する小径差口と、大径受口と小径差口との間に形成される縮径段部とを有し、前記自在継手部は、下部接続管の管端部に上方に開口して設けられ球状内面を有する球状受口部に、前記球状内面に対応した球状外面を有し、内部に管挿入口を有する球状差口部材を回動可能に結合し、前記小径差口が前記管挿入口の係止段部に突き当たるまで挿入されてなり、前記伸縮継手部は、前記大径受口内に挿入された弾性変形可能な材料からなる弾性筒の下端を前記縮径段部に当接させ、前記大径受口の開口から軸線方向に移動可能に挿入された立ち上がり管の下端を前記弾性筒の上端に当接されてなり、前記弾性筒は、外径が前記大径受口の内径に対応し、内径が前記立ち上がり管の内径に対応した寸法で、軸線方向の長さは、前記大径受口の軸線方向の長さに対して１／２〜１／４に形成され、前記立ち上がり管に対して押し込み方向の力が作用したときには、前記大径受口の奥部側に移動しようとする立ち上がり管の下端からの押圧力によって前記弾性筒が変形して前記小径差口内に押し込まれて、前記立ち上がり管が前記大径受口内に移動した状態になることを特徴とする管継手。
【発明の詳細な説明】
【０００１】
【発明の属する技術分野】
本発明は、管継手に関し、詳しくは、管同士を変位可能に接続することができる管継手であって、特に、本管から立ち上がり管を分岐接続する際に好適な管継手に関する。
【０００２】
【従来の技術及び発明が解決しようとする課題】
下排水設備等の埋設本管から地上に向けて立ち上がり管を分岐する場合、本管上面に装着した分岐サドルの受口に立ち上がり管の下端を挿入し、ゴム輪等でシールする方法が一般的に行われている。しかし、この接続構造では、本管と立ち上がり管との相対的な変位を吸収することができないため、軟弱地盤での不等沈下や地震が発生したときに立ち上がり管や分岐サドルが破損してしまうことがあった。
【０００３】
そこで本発明は、接続する管同士の接続角度や軸線方向の変位を吸収することができ、不等沈下や地震が発生したときでも管や継手が破損することを防止できる管継手を提供することを目的としている。
【０００４】
【課題を解決するための手段】
上記目的を達成するため、本発明の管継手は、接続する管同士の接続角度を調節可能に接続するための自在継手部と、接続する管同士を軸線方向に移動可能に接続するための伸縮継手部と、両端に前記自在継手部と伸縮継手部との連結部をそれぞれ有する接続用短管とを備えた管継手であって、前記接続用短管は、上方に開口する大径受口と、下方に開口する小径差口と、大径受口と小径差口との間に形成される縮径段部とを有し、前記自在継手部は、下部接続管の管端部に上方に開口して設けられ球状内面を有する球状受口部に、前記球状内面に対応した球状外面を有し、内部に管挿入口を有する球状差口部材を回動可能に結合し、前記小径差口が前記管挿入口の係止段部に突き当たるまで挿入されてなり、前記伸縮継手部は、前記大径受口内に挿入された弾性変形可能な材料からなる弾性筒の下端を前記縮径段部に当接させ、前記大径受口の開口から軸線方向に移動可能に挿入された立ち上がり管の下端を前記弾性筒の上端に当接されてなり、前記弾性筒は、外径が前記大径受口の内径に対応し、内径が前記立ち上がり管の内径に対応した寸法で、軸線方向の長さは、前記大径受口の軸線方向の長さに対して１／２〜１／４に形成され、前記立ち上がり管に対して押し込み方向の力が作用したときには、前記大径受口の奥部側に移動しようとする立ち上がり管の下端からの押圧力によって前記弾性筒が変形して前記小径差口内に押し込まれて、前記立ち上がり管が前記大径受口内に移動した状態になることを特徴としている。
【０００６】
【発明の実施の形態】
図１は、本発明の管継手の一形態例を示す縦断面図、図２は縮み方向の力が作用したときの状態を示す縦断面図である。
【０００７】
本形態例は、地中に埋設された本管１１から立ち上がり管１２を分岐する際に本発明の管継手を使用した例を示すものであって、この管継手は、本管１１の上面に装着された分岐サドル１３の分岐口１４に下端が挿入される下部接続管１５と、該下部接続管１５の上方に自在継手部１６を介して接続される接続用短管１７と、該接続用短管１７の上方に開口した大径受口１８内に挿入される弾性筒１９を有する伸縮継手部２０とにより形成されており、この大径受口１８に立ち上がり管１２の下端を挿入することにより、本管１１に固定された状態の下部接続管１５と立ち上がり管１２とが変位可能に接続された状態となる。なお、本管１１、分岐サドル１３及び下部接続管１５の接続は、従来の分岐管接続構造と同様に行えるので、詳細な説明は省略する。
【０００８】
自在継手部１６は、下部接続管１５の管端部に上方が開口するように設けられ、内周に球状内面２１を有する球状受口部２２と、該球状受口部２２の球状内面２１に対応した球状外面２３を有し、内部に管挿入口２４を有する球状差口部材２５とを回動可能に結合したものであって、前記接続用短管１７の下方の小径差口２６が管挿入口２４の係止段部２４ａに突き当たるまで挿入されている。また、球状差口部材２５の外周面に設けられたリング状の溝には、球状内面２１と球状外面２３とをシールするためのリング状パッキン２７が装着され、球状差口部材２５の内周面に設けられたリング状の溝には、管挿入口２４と小径差口２６とをシールするためのリング状パッキン２８が装着されている。
【０００９】
伸縮継手部２０における前記弾性筒１９は、弾性変形可能な材料、例えば合成ゴムによって筒状に形成されたものであって、外径が大径受口１８の内径に対応し、内径が立ち上がり管１２の内径に対応した寸法で、軸線方向の長さは、大径受口１８の軸線方向の長さ（深さ）に対して１／２〜１／４程度に形成することが好ましい。この弾性筒１９は、大径受口１８と小径差口２６との間に形成される縮径段部３１に下端（挿入方向先端）が当接するように大径受口１８内に挿入される。
【００１０】
立ち上がり管１２は、その下端（挿入方向先端）が弾性筒１９の上端に当接する位置まで大径受口１８内に挿入されており、接続用短管１７と立ち上がり管１２とは、大径受口１８の上端近傍に装着されたリング状パッキン３２によって伸縮可能な状態でシールされる。これにより、立ち上がり管１２が弾性筒１９によって支持された状態になり、本管１１から分岐した立ち上がり管１２があらかじめ設定された位置に接続された状態となる。
【００１１】
このとき、弾性筒１９の軸線方向の長さを前記長さ範囲より長くしすぎると、立ち上がり管１２の先端とリング状パッキン３２との間の距離が短くなって抜け方向に対する許容寸法が小さくなり、逆に短くしすぎると、立ち上がり管１２の先端と縮径段部３１との間の距離が短くなって押し込み方向に対する許容寸法が小さくなってしまう。
【００１２】
このように形成した管継手は、不等沈下や地震によって本管１１に固定された下部接続管１５と立ち上がり管１２との間に相対的な変位が発生しても、自在継手部１６における球状内面２１と球状外面２３とが相対的に回動することにより、下部接続管１５と立ち上がり管１２との接続角度の変位を吸収することができる。また、立ち上がり管１２に伸縮方向の力が作用したとき、抜け方向（伸び方向）の力は、伸縮継手部２０において、立ち上がり管１２が大径受口１８から抜け方向に移動することにより吸収することができる。そして、立ち上がり管１２に対して押し込み方向（縮み方向）の力が作用したときには、大径受口１８の奥部側に移動しようとする立ち上がり管１２の下端からの押圧力によって弾性筒１９が変形し、図２に示すように、小径差口２６内に弾性筒１９が押し込まれて立ち上がり管１２が大径受口１８内に移動した状態になる。
【００１３】
したがって、下部接続管１５と立ち上がり管１２とは、上述の管継手における自在継手部１６及び伸縮継手部２０の作用によって変位を吸収可能な状態で接続されるとともに、平常時には、弾性筒１９が立ち上がり管１２を支持した状態となる。これにより、平常時には、立ち上がり管１２が大径受口１８内に落ち込むことが防止され、立ち上がり管１２の上端部分を設定された位置に保持しておくことができ、不等沈下や地震で下部接続管１５と立ち上がり管１２とが変位してもこれらの破損を防止できる。
【００１４】
なお、前記管継手に立ち上がり管１２を接続する際に、大径受口１８への立ち上がり管１２の挿入量を規制するとともに、土圧等によって立ち上がり管１２が大径受口１８内に落ち込むことを防止するため、立ち上がり管１２の外周にバンド３３を装着しておくことができる。
【００１６】
【発明の効果】
以上説明したように、本発明の管継手によれば、自在継手部と伸縮継手部との組み合わせによって接続する管同士の接続角度や軸線方向の変位を吸収することができ、不等沈下や地震が発生したときでも管や継手が破損することを防止できる。
【図面の簡単な説明】
【図１】  本発明の管継手の一形態例を示す縦断面図である。
【図２】  縮み方向の力が作用したときの状態を示す縦断面図である。
【符号の説明】
１１…本管、１２…立ち上がり管、１３…分岐サドル、１４…分岐口、１５…下部接続管、１６…自在継手部、１７…接続用短管、１８…大径受口、１９…弾性筒、２０…伸縮継手部、２１…球状内面、２２…球状受口部、２３…球状外面、２４…管挿入口、２５…球状差口部材、２６…小径差口、２７，２８…リング状パッキン、３１…縮径段部、３２…リング状パッキン
【図１】
0004108372.tif 000002
【図２】
0004108372.tif 000003